(57)【要約】      （修正有）【課題】ダブルフリース編みのタイイン・ループとニットイン・ループからなる基礎編地の表面に凹凸感を有するメッシュ調のジャガード編みと編地の裏面がダブルフリース編みの両方の特徴を持ったダブルフリース編地を提供する。【解決手段】丸編機で編成されたインレー、タイ・イン、ニット・インの３本の糸からなるダブルフリース編地であって、タイ・イン糸はニット及びウエルトし、ニット・イン糸が全てニットされたことを特徴とするダブルフリース編地である。連続するインレー糸、タイ・イン糸、ニット・イン糸を一つのブロックとし、この同一ブロック内で、インレー糸がウエルトされたウエールと同一ウエールのタイ・イン糸はニット又はウエルトされ、且つ、インレー糸がタックされたウエールと同一ウエールのタイ・イン糸はニットされる。【選択図】図３
2016117965.tif 000002
【特許請求の範囲】
【請求項１】
丸編機で編成されたインレー、タイ・イン、ニット・インの３本の糸からなるダブルフリース編地であって、タイ・イン糸はニット及びウエルトし、ニット・イン糸が全てニットされることを特徴とするダブルフリース編地。
【請求項２】
連続するインレー糸、タイ・イン糸、ニット・イン糸において、インレー糸がウエルトされたとき同一ブロックのタイ・イン糸はニット及びウエルト、且つ、インレー糸がタックされたとき同一ブロックのタイ・イン糸はニットされることを特徴とする請求項１に記載のダブルフリース編地。
【請求項３】
インレーの柄が２×１(ウエルト／タック)であることを特徴とする請求項２に記載のダブルフリース編地。
【請求項４】
インレーの柄が３×１(ウエルト／タック)であることを特徴とする請求項２に記載のダブルフリース編地。
【請求項５】
第１ブロックのインレー糸（Ｅ１）は第１ウエールがタック、第２ウエールから第４ウエールまでがウエルトで以下繰り返し、第１ブロックのタイ・イン糸（Ｅ２）は第１ウエールから第２ウエールまでがニット、第３ウエールがウエルト、第４ウエールがニットで以下繰り返し、第１ブロックのニット・イン糸（Ｅ３）は全てのウエールがニットで以下繰り返し、
次に第２ブロックのインレー糸（Ｅ４）は第１ウエールから第２ウエールまでがウエルト、第３ウエールがタック、第４ウエールがウエルトで以下繰り返し、第２ブロックのタイ・イン糸（Ｅ５）は第１ウエールがウエルト、第２ウエールから第４ウエールまでがニット以下繰り返し、第２ブロックのニット・イン糸（Ｅ６）は全てのウエールがニットで以下繰り返して形成された、
６コースで１レピートの柄を形成しているダブルフリース編地。
【請求項６】
第１ブロックのインレー糸（Ｆ１）は第１ウエールがタック、第２ウエールから第４ウエールまでがウエルトで以下繰り返し、第１ブロックのタイ・イン糸（Ｆ２）は第１ウエールがニット、第２ウエールがウエルト以下繰り返し、第１ブロックのニット・イン糸（Ｆ３）は全てのウエールがニットで以下繰り返し、
次に第２ブロックのインレー糸（Ｆ４）は第１ウエールから第２ウエールまでがウエルト、第３ウエールがタック、第４エールがウエルトで以下繰り返し、第２ブロックのタイ・イン糸（Ｆ５）は第１ウエールがニット、第２ウエールまでがウエルト以下繰り返し、第２ブロックのニット・イン糸（Ｆ６）は全てのウエールがニットで以下繰り返して形成された、
６コースで１レピートの柄を形成しているダブルフリース編地。
【請求項７】
第１ブロックのインレー糸（Ｇ１）は第１ウエールがタック、第２ウエールから第３ウエールまでがウエルトで以下繰り返し、第１ブロックのタイ・イン糸（Ｇ２）は第１ウエールから第２ウエールまでがニット、第３ウエールがウエルトで以下繰り返し、第１ブロックのニット・イン糸（Ｇ３）は全てのウエールがニットで以下繰り返し、
次に第２ブロックのインレー糸（Ｇ４）は第１ウエールがウエルト、第２ウエールがタック、第３ウエールがウエルトで以下繰り返し、第２ブロックのタイ・イン糸（Ｇ５）は第１ウエールから第２ウエールまでがニット、第３ウエールがウエルトで以下繰り返し、第２ブロックのニット・イン糸（Ｇ６）は全てのウエールがニットで以下繰り返し、
次に第３ブロックのインレー糸（Ｇ７）は第１ウエールから第２ウエールまでがウエルト、第３ウエールがタックで以下繰り返し、第２ブロックのタイ・イン糸（Ｇ８）は第１ウエールがニット、第２ウエールがウエルト、第３ウエールがニットで以下繰り返し、第２ブロックのニット・イン糸（Ｇ９）は全てのウエールがニットで以下繰り返し、
次に第４ブロックのインレー糸（Ｇ１０）は第１ウエールがタック、第２ウエールから第３ウエールまでがウエルトで以下繰り返し、第２ブロックのタイ・イン糸（Ｇ１１）は第１ウエールがニット、第２ウエールがウエルト、第３ウエールがニットで以下繰り返し、第２ブロックのニット・イン糸（Ｇ１２）は全てのウエールがニットで以下繰り返し、
次に第５ブロックのインレー糸（Ｇ１３）は第１ウエールがウエルト、第２ウエールがタック、第３ウエールがウエルトで以下繰り返し、第２ブロックのタイ・イン糸（Ｇ１４）は第１ウエールがウエルト、第２ウエールから第３ウエールまでがニットで以下繰り返し、第２ブロックのニット・イン糸（Ｇ１５）は全てのウエールがニットで以下繰り返し、
次に第６ブロックのインレー糸（Ｇ１６）は第１ウエールから第２ウエールまでがウエルト、第３ウエールがタックで以下繰り返し、第２ブロックのタイ・イン糸（Ｇ１７）は第１ウエールがウエルト、第２ウエールから第３ウエールまでがニットで以下繰り返し、第２ブロックのニット・イン糸（Ｇ１８）は全てのウエールがニットで以下繰り返して形成された、
１８コースで１レピートの柄を形成しているダブルフリース編地。
【請求項８】
第１ブロックのインレー糸（Ｈ１）は第１ウエールがタック、第２ウエールから第３ウエールまでがウエルトで以下繰り返し、第１ブロックのタイ・イン糸（Ｈ２）は第１ウエールから第２ウエールまでがニット、第３ウエールがウエルトで以下繰り返し、第１ブロックのニット・イン糸（Ｈ３）は全てのウエールがニットで以下繰り返し、
次に第２ブロックのインレー糸（Ｈ４）は第１ウエールがウエルト、第２ウエールがタック、第３ウエールがウエルトで以下繰り返し、第２ブロックのタイ・イン糸（Ｈ５）は第１ウエールがウエルト、第２ウエールから第３ウエールまでがニットで以下繰り返し、第２ブロックのニット・イン糸（Ｈ６）は全てのウエールがニットで以下繰り返し、
次に第３ブロックのインレー糸（Ｈ７）は第１ウエールから第２ウエールまでがウエルト、第３ウエールがタックで以下繰り返し、第２ブロックのタイ・イン糸（Ｈ８）は第１ウエールがニット、第２ウエールがウエルト、第３ウエールがニットで以下繰り返し、第２ブロックのニット・イン糸（Ｈ９）は全てのウエールがニットで以下繰り返して形成された、
９コースで１レピートの柄を形成しているダブルフリース編地。
【請求項９】
第１ブロックのインレー糸（Ｉ１）は第１ウエールがタック、第２ウエールから第３ウエールまでがウエルトで以下繰り返し、第１ブロックのタイ・イン糸（Ｉ２）は第１ウエールから第２ウエールまでがニット、第３ウエールがウエルトで以下繰り返し、第１ブロックのニット・イン糸（Ｉ３）は全てのウエールがニットで以下繰り返し、
次に第２ブロックのインレー糸（Ｉ４）は第１ウエールがウエルト、第２ウエールがタック、第３ウエールがウエルトで以下繰り返し、第２ブロックのタイ・イン糸（Ｉ５）は第１ウエールから第２ウエールまでがニット、第３ウエールがウエルトで以下繰り返し、第２ブロックのニット・イン糸（Ｉ６）は全てのウエールがニットで以下繰り返し、
次に第３ブロックのインレー糸（Ｉ７）は第１ウエールから第２ウエールまでがウエルト、第３ウエールがタックで以下繰り返し、第２ブロックのタイ・イン糸（Ｉ８）は全てのウエールがニットで以下繰り返し、第２ブロックのニット・イン糸（Ｉ９）は全てのウエールがニットで以下繰り返して形成された、
９コースで１レピートの柄を形成しているダブルフリース編地。
【発明の詳細な説明】
【技術分野】
【０００１】
本発明は、丸編機の編成部で編成されたダブルフリース編地に関するものである。特に、編地の表側が凹凸感を有するジャガード柄でメッシュ調の意匠性に富んだ編地に関する。
【背景技術】
【０００２】
一般に、丸編機の編成部によって編成されたダブルフリース編地はインレー糸をタイ・インループで押さえ、その上からニット・インループを重ねて編み込んだもので、編地の表目側にはタイ・イン糸からなるタイイン・ループが現れ、インレー糸が表目側に現れないのが特徴となっている。インレー、タイ・イン、ニット・インの３本の糸で編むことから「３エンドフリース」あるいは「３スレッドフリース」とも呼ばれている。
【０００３】
編地裏側のインレーの柄は１×１千鳥、２×１綾、３×１千鳥が代表的で、編機によってはインレー糸をジャガード調に出現させることが出来る。
＜従来技術１＞
【０００４】
図１は、３×１千鳥ダブルフリース編地を、表１はその編地分解図を示す。
【０００５】
表中の符号○はニットループ、●はインレー糸のタックループ、―はインレー糸のウエルト、Wはニット・イン糸のウエルトを示す。また、符号Ｂはブロックと呼び、便宜上連続するインレー糸、タイ・イン糸、ニット・イン糸からなる３コースを１つのブロックとする。符号Ｃはコースを示し、編地の横方向に連続したループであり、また符号は記していないが、編地の縦方向に連続したループはウエールを示す。
【０００６】
【表１】
2016117965.tif 000003
【０００７】
図８は従来技術１の編地断面の略図を示している。タイイン糸からなるタイイン・ループ及びニットイン糸からなるニットイン・ループはすべてニットであるので編地の表面及び裏面に凹凸は発生しない。
＜従来技術２＞
【０００８】
ここで紹介する従来技術２は、本出願人自身の出願である特開２０１０-２４６０７における実施例１（３×１千鳥柄ダブルフリース（メッシュ）編地）である。
【０００９】
図２および表２の第１ブロックのインレー糸（Ａ１）は第１ウエールがタック、第２ウエールから第４ウエールまでがウエルトで以下繰り返している。第１ブロックのタイ・イン糸（Ａ２）は全てのウエールがニットで以下繰り返している。第１ブロックのニット・イン糸（Ａ３）は第１ウエールから第２ウエールまでがニット、第３ウエールがウエルト、第４ウエールがニットで以下繰り返している。
【００１０】
次に第２ブロックのインレー糸（Ａ４）は第１ウエールから第２ウエールまでがウエルト、第３ウエールがタック、第４ウエールがウエルトで以下繰り返している。第２ブロックのタイ・イン糸（Ａ５）は全てのウエールがニットで以下繰り返している。第２ブロックのニット・イン糸（Ａ６）は第１ウエールから第２ウエールまでがニット、第３ウエールがウエルト、第４ウエールがニットで以下繰り返している。
【００１１】
次に第３ブロックのインレー糸（Ａ７）は第１ウエールがタック、第２ウエールから第４ウエールまでがウエルトで以下繰り返している。第３ブロックのタイ・イン糸（Ａ８）は全てのウエールがニットで以下繰り返している。第３ブロックのニット・イン糸（Ａ９）は第１ウエールがウエルト、第２ウエールから第４ウエールまでがニットで以下繰り返している。
【００１２】
次に第４ブロックのインレー糸（Ａ１０）は第１ウエールから第２ウエールまでがウエルト、第３ウエールがタック、第４ウエールがウエルトで以下繰り返している。第４ブロックのタイ・イン糸（Ａ１１）は全てのウエールがニットで以下繰り返している。第４ブロックのニット・イン糸（Ａ１２）は第１ウエールがウエルト、第２ウエールから第４ウエールまでがニットで以下繰り返している。
【００１３】
以上のように１２コースで１レピートの柄を形成している。
【００１４】
【表２】
2016117965.tif 000004
【００１５】
図９は従来技術２の編地断面の略図を示している。タイ・イン糸からなるタイイン・ループはすべてニットであるので編地の表面は平坦で凹凸は発生しない。ニット・イン糸からなるニットイン・ループはウエルト部で凹部が形成されているがインレー糸で覆われているので凹凸感は鮮明に現れない。
【００１６】
詳細な紹介はここでは省略するが、前記特開２０１０-２４６０７は、さらに次の３種類の編地を記載している。
２×１綾柄ダブルフリース（メッシュ）編地（同公報の実施例２）
１×１千鳥柄ダブルフリース（メッシュ）編地（同公報の実施例３）
３×１綾柄ダブルフリース（メッシュ）編地（同公報の実施例４）
【先行技術文献】
【特許文献】
【００１７】
【特許文献１】特開2010-24607
【発明の概要】
【発明が解決しようとする課題】
【００１８】
しかしながら、上述の編地には、ダブルフリース編みのタイイン・ループとニットイン・ループからなる基礎編地の表面に凹凸感を有するメッシュ調のジャガード編みと編地の裏面がダブルフリース編みの両方の特徴を合わせ持ったダブルフリース編地は存在していなかった。
【００１９】
一般に、インレー、タイ・イン、ニット・インの３本の糸からなるダブルフリース編地において、インレー糸のタック部を止めるためにインレー糸に続くタイ・イン糸はすべてニットしなければならないとの固定概念があったが、本発明はインレー糸のタック部に続くタイ・イン糸だけをニットしそれ以外の箇所ではニット及びウエルトされるものであって、その固定概念を覆すものである。
【課題を解決するための手段】
【００２０】
前記の課題を解決する本発明は、丸編機で編成されたインレー、タイ・イン、ニット・インの３本の糸からなるダブルフリース編地であって、タイ・イン糸はニット及びウエルトし、ニット・イン糸が全てニットされたことを特徴とするダブルフリース編地である。
【００２１】
好ましくは、連続するインレー糸、タイ・イン糸、ニット・イン糸において、インレー糸がウエルトされたとき同一ブロックのタイ・イン糸はニット及びウエルト、且つ、インレー糸がタックされたとき同一ブロックのタイ・イン糸はニットされる。
【発明の効果】
【００２２】
以上説明したように、本発明の編地では、ダブルフリース編みにおいて、タイイン・ループとニットイン・ループからなる基礎編地の表面に凹凸感を有するジャガード柄が出現する。そのために通気性がよく、一般衣料としてダブルフリース編みの表面に凹凸感を有するジャガード編みでメッシュ調の特徴を合わせ持った、意匠性に富んだ編地が得られた。
【図面の簡単な説明】
【００２３】
【図１】従来技術１の裏面から見た３×１千鳥柄ダブルフリース編地を示す。
【図２】従来技術２の裏面から見た３×１千鳥柄ダブルフリース（メッシュ）編地を示す。
【図３】本発明の実施例１の裏面から見た３×１千鳥柄−１ダブルフリース編地を示す。
【図４】本発明の実施例２の裏面から見た３×１千鳥柄−２ダブルフリース編地を示す。
【図５】本発明の実施例３の裏面から見た２×１千鳥柄−１ダブルフリース編地を示す。
【図６】本発明の実施例４の裏面から見た２×１千鳥柄−２ダブルフリース編地を示す。
【図７】本発明の実施例５の裏面から見た２×１千鳥柄−３ダブルフリース編地を示す。
【図８】従来技術１の編地断面の略図を示す。
【図９】従来技術２の編地断面の略図を示す。
【図１０】本発明の実施例１の編地断面の略図を示す。
【発明を実施するための形態】
【００２４】
以下、本発明の好適な実施の形態について、表及び図面を参照しつつ説明する。表中に使用する符号の説明は前記と同様である。
【００２５】
以下の実施例の編地は、それ自体公知のダブルフリース編機を使用し、本発明の設定を施すことにより製造することができる。そのようなダブルフリース編機としては、例えば、株式会社福原精機製作所（神戸市）製造のＭＸＣ-ＲＳ３．２ＤＦが挙げられる。インレー糸に綿糸１０/１、タイ・イン糸に綿糸３０／１、ニット・インにポリエステル５６Ｄｔｅｘ／２４Ｆを使用した。
【実施例１】
【００２６】
次に、本発明の実施例１である図３および表３について説明する。
【００２７】
図３および表３の第１ブロックのインレー糸（Ｅ１）は第１ウエールがタック、第２ウエールから第４ウエールまでがウエルトで以下繰り返している。第１ブロックのタイ・イン糸（Ｅ２）は第１ウエールから第２ウエールまでがニット、第３ウエールがウエルト、第４ウエールがニットで以下繰り返している。第１ブロックのニット・イン糸（Ｅ３）は全てのウエールがニットで以下繰り返している。
【００２８】
次に第２ブロックのインレー糸（Ｅ４）は第１ウエールから第２ウエールまでがウエルト、第３ウエールがタック、第４ウエールがウエルトで以下繰り返している。第２ブロックのタイ・イン糸（Ｅ５）は第１ウエールがウエルト、第２ウエールから第４ウエールまでがニット以下繰り返している。第２ブロックのニット・イン糸（Ｅ６）は全てのウエールがニットで以下繰り返している。
【００２９】
以上のように６コースで１レピートの柄を形成している。
【００３０】
【表３】
2016117965.tif 000005
【００３１】
図１０は本発明の実施例１の編地断面の略図を示している。タイ・イン糸からなるタイイン・ループはウエルト部で凹部が形成されており、凹凸感は鮮明に現れる。また、タイ・イン糸及びニット・イン糸にそれぞれ異なる色糸を使用すれば、編地表面側からタイイン・ループはウエルト部では、ニットイン・ループが覗くのでジャガード編みとなる。さらに、タイ・イン糸に比べて細い糸をニット・イン糸に使用すればメッシュ調の編地が形成できる。以下の実施例でも同様の効果がある。
【実施例２】
【００３２】
次に、本発明の実施例２である図４および表４について説明する。
【００３３】
図４および表４の第１ブロックのインレー糸（Ｆ１）は第１ウエールがタック、第２ウエールから第４ウエールまでがウエルトで以下繰り返している。第１ブロックのタイ・イン糸（Ｆ２）は第１ウエールがニット、第２ウエールがウエルト以下繰り返している。第１ブロックのニット・イン糸（Ｆ３）は全てのウエールがニットで以下繰り返している。
【００３４】
次に第２ブロックのインレー糸（Ｆ４）は第１ウエールから第２ウエールまでがウエルト、第３ウエールがタック、第４エールがウエルトで以下繰り返している。第２ブロックのタイ・イン糸（Ｆ５）は第１ウエールがニット、第２ウエールまでがウエルト以下繰り返している。第２ブロックのニット・イン糸（Ｆ６）は全てのウエールがニットで以下繰り返している。
【００３５】
以上のように６コースで１レピートの柄を形成している。
【００３６】
【表４】
2016117965.tif 000006
【実施例３】
【００３７】
次に、本発明の実施例３である図５および表５について説明する。
【００３８】
図５および表５の第１ブロックのインレー糸（Ｇ１）は第１ウエールがタック、第２ウエールから第３ウエールまでがウエルトで以下繰り返している。第１ブロックのタイ・イン糸（Ｇ２）は第１ウエールから第２ウエールまでがニット、第３ウエールがウエルトで以下繰り返している。第１ブロックのニット・イン糸（Ｇ３）は全てのウエールがニットで以下繰り返している。
【００３９】
次に第２ブロックのインレー糸（Ｇ４）は第１ウエールがウエルト、第２ウエールがタック、第３ウエールがウエルトで以下繰り返している。第２ブロックのタイ・イン糸（Ｇ５）は第１ウエールから第２ウエールまでがニット、第３ウエールがウエルトで以下繰り返している。第２ブロックのニット・イン糸（Ｇ６）は全てのウエールがニットで以下繰り返している。
【００４０】
次に第３ブロックのインレー糸（Ｇ７）は第１ウエールから第２ウエールまでがウエルト、第３ウエールがタックで以下繰り返している。第２ブロックのタイ・イン糸（Ｇ８）は第１ウエールがニット、第２ウエールがウエルト、第３ウエールがニットで以下繰り返している。第２ブロックのニット・イン糸（Ｇ９）は全てのウエールがニットで以下繰り返している。
【００４１】
次に第４ブロックのインレー糸（Ｇ１０）は第１ウエールがタック、第２ウエールから第３ウエールまでがウエルトで以下繰り返している。第２ブロックのタイ・イン糸（Ｇ１１）は第１ウエールがニット、第２ウエールがウエルト、第３ウエールがニットで以下繰り返している。第２ブロックのニット・イン糸（Ｇ１２）は全てのウエールがニットで以下繰り返している。
【００４２】
次に第５ブロックのインレー糸（Ｇ１３）は第１ウエールがウエルト、第２ウエールがタック、第３ウエールがウエルトで以下繰り返している。第２ブロックのタイ・イン糸（Ｇ１４）は第１ウエールがウエルト、第２ウエールから第３ウエールまでがニットで以下繰り返している。第２ブロックのニット・イン糸（Ｇ１５）は全てのウエールがニットで以下繰り返している。
【００４３】
次に第６ブロックのインレー糸（Ｇ１６）は第１ウエールから第２ウエールまでがウエルト、第３ウエールがタックで以下繰り返している。第２ブロックのタイ・イン糸（Ｇ１７）は第１ウエールがウエルト、第２ウエールから第３ウエールまでがニットで以下繰り返している。第２ブロックのニット・イン糸（Ｇ１８）は全てのウエールがニットで以下繰り返している。
【００４４】
以上のように１８コースで１レピートの柄を形成している。
【００４５】
【表５】
2016117965.tif 000007
【実施例４】
【００４６】
次に、本発明の実施例４である図６および表６について説明する。
【００４７】
図６および表６の第１ブロックのインレー糸（Ｈ１）は第１ウエールがタック、第２ウエールから第３ウエールまでがウエルトで以下繰り返している。第１ブロックのタイ・イン糸（Ｈ２）は第１ウエールから第２ウエールまでがニット、第３ウエールがウエルトで以下繰り返している。第１ブロックのニット・イン糸（Ｈ３）は全てのウエールがニットで以下繰り返している。
【００４８】
次に第２ブロックのインレー糸（Ｈ４）は第１ウエールがウエルト、第２ウエールがタック、第３ウエールがウエルトで以下繰り返している。第２ブロックのタイ・イン糸（Ｈ５）は第１ウエールがウエルト、第２ウエールから第３ウエールまでがニットで以下繰り返している。第２ブロックのニット・イン糸（Ｈ６）は全てのウエールがニットで以下繰り返している。
【００４９】
次に第３ブロックのインレー糸（Ｈ７）は第１ウエールから第２ウエールまでがウエルト、第３ウエールがタックで以下繰り返している。第２ブロックのタイ・イン糸（Ｈ８）は第１ウエールがニット、第２ウエールがウエルト、第３ウエールがニットで以下繰り返している。第２ブロックのニット・イン糸（Ｈ９）は全てのウエールがニットで以下繰り返している。
【００５０】
以上のように９コースで１レピートの柄を形成している。
【００５１】
【表６】
2016117965.tif 000008
【実施例５】
【００５２】
次に、本発明の実施例５である図７および表７について説明する。
【００５３】
図７および表７の第１ブロックのインレー糸（Ｉ１）は第１ウエールがタック、第２ウエールから第３ウエールまでがウエルトで以下繰り返している。第１ブロックのタイ・イン糸（Ｉ２）は第１ウエールから第２ウエールまでがニット、第３ウエールがウエルトで以下繰り返している。第１ブロックのニット・イン糸（Ｉ３）は全てのウエールがニットで以下繰り返している。
【００５４】
次に第２ブロックのインレー糸（Ｉ４）は第１ウエールがウエルト、第２ウエールがタック、第３ウエールがウエルトで以下繰り返している。第２ブロックのタイ・イン糸（Ｉ５）は第１ウエールから第２ウエールまでがニット、第３ウエールがウエルトで以下繰り返している。第２ブロックのニット・イン糸（Ｉ６）は全てのウエールがニットで以下繰り返している。
【００５５】
次に第３ブロックのインレー糸（Ｉ７）は第１ウエールから第２ウエールまでがウエルト、第３ウエールがタックで以下繰り返している。第２ブロックのタイ・イン糸（Ｉ８）は全てのウエールがニットで以下繰り返している。第２ブロックのニット・イン糸（Ｉ９）は全てのウエールがニットで以下繰り返している。
【００５６】
以上のように９コースで１レピートの柄を形成している。
【００５７】
【表７】
2016117965.tif 000009
【００５８】
なお、本発明は前記の実施例に限定されるものではなく、特許請求の範囲内でさまざまな変形が可能である。これら実施例以外でも、連続するインレー糸、タイ・イン糸、ニット・イン糸において、インレー糸がウエルトされたとき同一ブロックのタイ・イン糸はニット及びウエルト、且つ、インレー糸がタックされたとき同一ブロックのタイ・イン糸はニットされたことを特徴とするダブルフリース編地において、表面に凹凸感を有するジャガード柄を自由に表すことができる。
【符号の説明】
【００５９】
Ａ１、Ａ４、Ａ７、Ａ１０  従来技術２のインレー糸
Ａ２、Ａ５、Ａ８、Ａ１１  従来技術２のタイ・イン糸
Ａ３、Ａ６、Ａ９、Ａ１２  従来技術２のニット・イン糸
Ｅ１、Ｅ４  本発明の実施例１のインレー糸
Ｅ２、Ｅ５  本発明の実施例１のタイ・イン糸
Ｅ３、Ｅ６  本発明の実施例１のニット・イン糸
Ｆ１、Ｆ４  本発明の実施例２のインレー糸
Ｆ２、Ｆ５  本発明の実施例２のタイ・イン糸
Ｆ３、Ｆ６  本発明の実施例２のニット・イン糸
Ｇ１、Ｇ４、Ｇ７、Ｇ１０、Ｇ１３、Ｇ１６  本発明の実施例３のインレー糸
Ｇ２、Ｇ５、Ｇ８、Ｇ１１、Ｇ１４、Ｇ１７  本発明の実施例３のタイ・イン糸
Ｇ３、Ｇ６、Ｇ９、Ｇ１２、Ｇ１５、Ｇ１８  本発明の実施例３のニット・イン糸
Ｈ１、Ｈ４、Ｈ７  本発明の実施例４のインレー糸
Ｈ２、Ｈ５、Ｈ８  本発明の実施例４のタイ・イン糸
Ｈ３、Ｈ６、Ｈ９  本発明の実施例４のニット・イン糸
Ｉ１、Ｉ４、Ｉ７  本発明の実施例５のインレー糸
Ｉ２、Ｉ５、Ｉ８  本発明の実施例５のタイ・イン糸
Ｉ３、Ｉ６、Ｉ９  本発明の実施例５のニット・イン糸
【図１】
2016117965.tif 000010
【図２】
2016117965.tif 000011
【図３】
2016117965.tif 000012
【図４】
2016117965.tif 000013
【図５】
2016117965.tif 000014
【図６】
2016117965.tif 000015
【図７】
2016117965.tif 000016
【図８】
2016117965.tif 000017
【図９】
2016117965.tif 000018
【図１０】
2016117965.tif 000019
【手続補正書】
【提出日】平成27年11月24日(2015.11.24)
【手続補正１】
【補正対象書類名】明細書
【補正対象項目名】００２１
【補正方法】変更
【補正の内容】
【００２１】
好ましくは、連続するインレー糸、タイ・イン糸、ニット・イン糸を一つのブロックとし、この同一ブロック内で、インレー糸がウエルトされたウエールと同一ウエールのタイ・イン糸はニット又はウエルトされ、且つ、インレー糸がタックされたウエールと同一ウエールのタイ・イン糸はニットされる。
【手続補正２】
【補正対象書類名】明細書
【補正対象項目名】００３４
【補正方法】変更
【補正の内容】
【００３４】
次に第２ブロックのインレー糸（Ｆ４）は第１ウエールから第２ウエールまでがウエルト、第３ウエールがタック、第４ウエールがウエルトで以下繰り返している。第２ブロックのタイ・イン糸（Ｆ５）は第１ウエールがニット、第２ウエールまでがウエルト以下繰り返している。第２ブロックのニット・イン糸（Ｆ６）は全てのウエールがニットで以下繰り返している。
【手続補正３】
【補正対象書類名】明細書
【補正対象項目名】００４０
【補正方法】変更
【補正の内容】
【００４０】
次に第３ブロックのインレー糸（Ｇ７）は第１ウエールから第２ウエールまでがウエルト、第３ウエールがタックで以下繰り返している。第３ブロックのタイ・イン糸（Ｇ８）は第１ウエールがニット、第２ウエールがウエルト、第３ウエールがニットで以下繰り返している。第３ブロックのニット・イン糸（Ｇ９）は全てのウエールがニットで以下繰り返している。
【手続補正４】
【補正対象書類名】明細書
【補正対象項目名】００４１
【補正方法】変更
【補正の内容】
【００４１】
次に第４ブロックのインレー糸（Ｇ１０）は第１ウエールがタック、第２ウエールから第３ウエールまでがウエルトで以下繰り返している。第４ブロックのタイ・イン糸（Ｇ１１）は第１ウエールがニット、第２ウエールがウエルト、第３ウエールがニットで以下繰り返している。第４ブロックのニット・イン糸（Ｇ１２）は全てのウエールがニットで以下繰り返している。
【手続補正５】
【補正対象書類名】明細書
【補正対象項目名】００４２
【補正方法】変更
【補正の内容】
【００４２】
次に第５ブロックのインレー糸（Ｇ１３）は第１ウエールがウエルト、第２ウエールがタック、第３ウエールがウエルトで以下繰り返している。第５ブロックのタイ・イン糸（Ｇ１４）は第１ウエールがウエルト、第２ウエールから第３ウエールまでがニットで以下繰り返している。第５ブロックのニット・イン糸（Ｇ１５）は全てのウエールがニットで以下繰り返している。
【手続補正６】
【補正対象書類名】明細書
【補正対象項目名】００４３
【補正方法】変更
【補正の内容】
【００４３】
次に第６ブロックのインレー糸（Ｇ１６）は第１ウエールから第２ウエールまでがウエルト、第３ウエールがタックで以下繰り返している。第６ブロックのタイ・イン糸（Ｇ１７）は第１ウエールがウエルト、第２ウエールから第３ウエールまでがニットで以下繰り返している。第６ブロックのニット・イン糸（Ｇ１８）は全てのウエールがニットで以下繰り返している。
【手続補正７】
【補正対象書類名】明細書
【補正対象項目名】００４９
【補正方法】変更
【補正の内容】
【００４９】
次に第３ブロックのインレー糸（Ｈ７）は第１ウエールから第２ウエールまでがウエルト、第３ウエールがタックで以下繰り返している。第３ブロックのタイ・イン糸（Ｈ８）は第１ウエールがニット、第２ウエールがウエルト、第３ウエールがニットで以下繰り返している。第３ブロックのニット・イン糸（Ｈ９）は全てのウエールがニットで以下繰り返している。
【手続補正８】
【補正対象書類名】特許請求の範囲
【補正対象項目名】請求項２
【補正方法】変更
【補正の内容】
【請求項２】
連続するインレー糸、タイ・イン糸、ニット・イン糸を一つのブロックとし、この同一ブロック内で、インレー糸がウエルトされたウエールと同一ウエールのタイ・イン糸はニット又はウエルトされ、且つ、インレー糸がタックされたウエールと同一ウエールのタイ・イン糸はニットされることを特徴とする請求項１に記載のダブルフリース編地。
【手続補正９】
【補正対象書類名】特許請求の範囲
【補正対象項目名】請求項７
【補正方法】変更
【補正の内容】
【請求項７】
第１ブロックのインレー糸（Ｇ１）は第１ウエールがタック、第２ウエールから第３ウエールまでがウエルトで以下繰り返し、第１ブロックのタイ・イン糸（Ｇ２）は第１ウエールから第２ウエールまでがニット、第３ウエールがウエルトで以下繰り返し、第１ブロックのニット・イン糸（Ｇ３）は全てのウエールがニットで以下繰り返し、
次に第２ブロックのインレー糸（Ｇ４）は第１ウエールがウエルト、第２ウエールがタック、第３ウエールがウエルトで以下繰り返し、第２ブロックのタイ・イン糸（Ｇ５）は第１ウエールから第２ウエールまでがニット、第３ウエールがウエルトで以下繰り返し、第２ブロックのニット・イン糸（Ｇ６）は全てのウエールがニットで以下繰り返し、
次に第３ブロックのインレー糸（Ｇ７）は第１ウエールから第２ウエールまでがウエルト、第３ウエールがタックで以下繰り返し、第３ブロックのタイ・イン糸（Ｇ８）は第１ウエールがニット、第２ウエールがウエルト、第３ウエールがニットで以下繰り返し、第３ブロックのニット・イン糸（Ｇ９）は全てのウエールがニットで以下繰り返し、
次に第４ブロックのインレー糸（Ｇ１０）は第１ウエールがタック、第２ウエールから第３ウエールまでがウエルトで以下繰り返し、第４ブロックのタイ・イン糸（Ｇ１１）は第１ウエールがニット、第２ウエールがウエルト、第３ウエールがニットで以下繰り返し、第４ブロックのニット・イン糸（Ｇ１２）は全てのウエールがニットで以下繰り返し、
次に第５ブロックのインレー糸（Ｇ１３）は第１ウエールがウエルト、第２ウエールがタック、第３ウエールがウエルトで以下繰り返し、第５ブロックのタイ・イン糸（Ｇ１４）は第１ウエールがウエルト、第２ウエールから第３ウエールまでがニットで以下繰り返し、第５ブロックのニット・イン糸（Ｇ１５）は全てのウエールがニットで以下繰り返し、
次に第６ブロックのインレー糸（Ｇ１６）は第１ウエールから第２ウエールまでがウエルト、第３ウエールがタックで以下繰り返し、第６ブロックのタイ・イン糸（Ｇ１７）は第１ウエールがウエルト、第２ウエールから第３ウエールまでがニットで以下繰り返し、第６ブロックのニット・イン糸（Ｇ１８）は全てのウエールがニットで以下繰り返して形成された、
１８コースで１レピートの柄を形成しているダブルフリース編地。
【手続補正１０】
【補正対象書類名】特許請求の範囲
【補正対象項目名】請求項８
【補正方法】変更
【補正の内容】
【請求項８】
第１ブロックのインレー糸（Ｈ１）は第１ウエールがタック、第２ウエールから第３ウエールまでがウエルトで以下繰り返し、第１ブロックのタイ・イン糸（Ｈ２）は第１ウエールから第２ウエールまでがニット、第３ウエールがウエルトで以下繰り返し、第１ブロックのニット・イン糸（Ｈ３）は全てのウエールがニットで以下繰り返し、
次に第２ブロックのインレー糸（Ｈ４）は第１ウエールがウエルト、第２ウエールがタック、第３ウエールがウエルトで以下繰り返し、第２ブロックのタイ・イン糸（Ｈ５）は第１ウエールがウエルト、第２ウエールから第３ウエールまでがニットで以下繰り返し、第２ブロックのニット・イン糸（Ｈ６）は全てのウエールがニットで以下繰り返し、
次に第３ブロックのインレー糸（Ｈ７）は第１ウエールから第２ウエールまでがウエルト、第３ウエールがタックで以下繰り返し、第３ブロックのタイ・イン糸（Ｈ８）は第１ウエールがニット、第２ウエールがウエルト、第３ウエールがニットで以下繰り返し、第３ブロックのニット・イン糸（Ｈ９）は全てのウエールがニットで以下繰り返して形成された、
９コースで１レピートの柄を形成しているダブルフリース編地。
【手続補正１１】
【補正対象書類名】特許請求の範囲
【補正対象項目名】請求項９
【補正方法】変更
【補正の内容】
【請求項９】
第１ブロックのインレー糸（Ｉ１）は第１ウエールがタック、第２ウエールから第３ウエールまでがウエルトで以下繰り返し、第１ブロックのタイ・イン糸（Ｉ２）は第１ウエールから第２ウエールまでがニット、第３ウエールがウエルトで以下繰り返し、第１ブロックのニット・イン糸（Ｉ３）は全てのウエールがニットで以下繰り返し、
次に第２ブロックのインレー糸（Ｉ４）は第１ウエールがウエルト、第２ウエールがタック、第３ウエールがウエルトで以下繰り返し、第２ブロックのタイ・イン糸（Ｉ５）は第１ウエールから第２ウエールまでがニット、第３ウエールがウエルトで以下繰り返し、第２ブロックのニット・イン糸（Ｉ６）は全てのウエールがニットで以下繰り返し、
次に第３ブロックのインレー糸（Ｉ７）は第１ウエールから第２ウエールまでがウエルト、第３ウエールがタックで以下繰り返し、第３ブロックのタイ・イン糸（Ｉ８）は全てのウエールがニットで以下繰り返し、第３ブロックのニット・イン糸（Ｉ９）は全てのウエールがニットで以下繰り返して形成された、
９コースで１レピートの柄を形成しているダブルフリース編地。